(57)【要約】【課題】優れたユーザインターフェイスを有する電子機器、画像表示装置、および、電子機器操作システムを提供すること。【解決手段】携帯電話機と通信接続されるとともに、機器本体を制御する制御基板を備えたリアプロジェクタであって、制御基板は、携帯電話機の識別情報を取得する情報取得部５１４２と、取得された識別情報に基づいて、音声認識ファイルを探索する音声認識ファイル探索部５１４３と、携帯電話機から入力する音声情報、および、音声認識ファイルに基づいて、機器本体を制御するための制御信号を生成する制御信号生成部５１４４とを有し、生成された制御信号に基づいて機器本体を駆動する液晶パネル制御回路や、チューナ等とを備えている。【選択図】図３
2006330090.tif 000002
【特許請求の範囲】
【請求項１】
音声入力手段および通信手段を備えた携帯情報端末と通信接続される通信手段と、この通信手段を含む機器本体を制御する制御手段とを備えた電子機器であって、
前記制御手段は、
通信接続された前記携帯情報端末の識別情報を取得する識別情報取得部と、
前記取得された識別情報に基づいて、予め記録された音声認識ファイルを探索する音声認識ファイル探索部と、
通信接続された前記携帯情報端末から入力された音声情報、および、前記探索された音声認識ファイルに基づいて、前記機器本体を制御するための制御信号を生成する制御信号生成部とを備えていることを特徴とする電子機器。
【請求項２】
音声入力手段および通信手段を備えた携帯情報端末と通信接続される通信手段と、入力する画像情報に基づいて光学像を形成する画像表示手段と、前記通信手段および画像表示手段を含む機器本体を制御する制御手段とを備えた画像表示装置であって、
前記制御手段は、
通信接続された前記携帯情報端末の識別情報を取得する識別情報取得部と、
前記取得された識別情報に基づいて、予め記録された音声認識ファイルを探索する音声認識ファイル探索部と、
通信接続された前記携帯情報端末から入力された音声情報、および、前記探索された音声認識ファイルに基づいて、前記機器本体を制御するための制御信号を生成する制御信号生成部とを備えていることを特徴とする画像表示装置。
【請求項３】
請求項２に記載の画像表示装置において、
前記制御手段は、
前記制御信号の選択、および、当該選択された制御信号に対応する音声情報の入力を促す音声設定画面を、前記画像表示手段に表示させる音声情報設定部と、
前記音声設定画面で選択された制御信号、および、前記音声設定画面で入力された音声情報が、互いに関連付けて記録される音声認識ファイルを生成する音声認識ファイル生成部と、
前記生成された音声認識ファイルを、前記識別情報取得部で取得された識別情報と関連づけて記憶する音声認識ファイル記憶部とを備え、
前記音声認識ファイル探索部は、前記音声認識ファイル記憶部に記憶された音声認識ファイルを探索することを特徴とする画像表示装置。
【請求項４】
請求項２または請求項３に記載の画像表示装置において、
前記制御手段は、
通信接続された前記携帯情報端末の識別情報に応じたパスワードの入力を促すパスワード入力画面を、前記画像表示手段に表示させるパスワード取得部と、
入力されたパスワードと、予め前記携帯情報端末の識別情報に応じて登録されたパスワードとを対比するパスワード対比部と、
対比の結果、前記入力されたパスワードが前記予め登録されたパスワードに合致しないと判定されると、前記音声認識ファイル生成部による前記音声認識ファイルの書換を規制するファイル書換規制部とを備えていることを特徴とする画像表示装置。
【請求項５】
請求項２〜請求項４のいずれかに記載の画像表示装置において、
前記画像表示装置は、光源と、当該光源から射出された光束を前記画像情報に応じて変調し光学像を形成する光変調装置と、当該光変調装置にて形成された光学像を拡大投射する投射光学装置とを備えたリアプロジェクタであることを特徴とする画像表示装置。
【請求項６】
電子機器と、当該電子機器と通信接続された携帯情報端末とを備えた電子機器操作システムであって、
前記携帯情報端末は、
外部からの音声を入力する音声入力手段と、
前記入力された音声が変換された音声情報、および、当該携帯情報端末の識別情報を、前記電子機器に送信する通信手段とを備え、
前記電子機器は、
前記携帯情報端末と通信接続される通信手段と、この通信手段を含む機器本体を制御する制御手段とを備え、
当該制御手段は、
通信接続された前記携帯情報端末の識別情報を取得する識別情報取得部と、
前記取得された識別情報に基づいて、予め記録された音声認識ファイルを探索する音声認識ファイル探索部と、
通信接続された前記携帯情報端末から入力された音声情報、および、前記探索された音声認識ファイルに基づいて、前記機器本体を制御するための制御信号を生成する制御信号生成部とを備えていることを特徴とすることを特徴とする電子機器操作システム。
【請求項７】
請求項６に記載の電子機器操作システムにおいて、
前記携帯情報端末は、携帯電話機であることを特徴とする電子機器操作システム。
【発明の詳細な説明】
【技術分野】
【０００１】
本発明は、電子機器、画像表示装置、および、電子機器操作システムに関する。
【背景技術】
【０００２】
近年、電子機器の高機能化に伴い、操作メニューの多様化や操作ボタン数の増加など、電子機器のユーザインターフェイスがますます複雑になっている。このため、電子機器を使用するユーザにとっては、操作メニューや操作ボタンによる操作方法が理解し難く、電子機器の操作性の低下が問題となっている。
【０００３】
これに対し、電子機器の操作性を向上させる手段として、ユーザごとに操作メニューをカスタマイズする電子機器が知られている。すなわち、電子機器が、各ユーザがよく利用する操作メニューを記憶しておき、これらの操作メニューをユーザインターフェイスの比較的操作しやすい場所に配置させておくことで、ユーザに対し電子機器を操作しやすくさせるのである。
しかし、このように各ユーザに対応したユーザインターフェイスを提供するためには、電子機器は、ます、ユーザの識別を行わなければならない。
【０００４】
これに対し、ユーザの識別手段として、携帯電話機を用いる方法が知られている（例えば、特許文献１参照）。これは、携帯電話機が個別に有している電話番号等を、識別情報として利用したものである。
具体的に、特許文献１に記載の携帯電話機は、操作信号を、赤外線通信を介して電子機器に送信することで、電子機器を遠隔操作するものである。このとき、携帯電話機は、操作信号とともに当該携帯電話の識別情報を、電子機器に送信している。そして、電子機器側では、予め登録しておいた識別情報と、携帯電話機から入力する識別情報との照合が行われる。この照合により、当該携帯電話機の固体を識別、つまり、当該携帯電話を使用しているユーザを識別することができる。
【０００５】
【特許文献１】特開平１１−２８５０７１号公報
【発明の開示】
【発明が解決しようとする課題】
【０００６】
しかしながら、特許文献１に記載の携帯電話機を用いたユーザ識別手段では、電子機器の操作メニューが各ユーザに対応したカスタマイズされていないため、前述したユーザインターフェイスの複雑化による電子機器の操作性の低下を、十分に解決したとは言えない。
【０００７】
本発明の目的は、優れたユーザインターフェイスを有する電子機器、画像表示装置、および、電子機器操作システムを提供することにある。
【課題を解決するための手段】
【０００８】
前記した目的を達するために、本発明の電子機器は、音声入力手段および通信手段を備えた携帯情報端末と通信接続される通信手段と、この通信手段を含む機器本体を制御する制御手段とを備えた電子機器であって、前記制御手段は、通信接続された前記携帯情報端末の識別情報を取得する識別情報取得部と、前記取得された識別情報に基づいて、予め記録された音声認識ファイルを探索する音声認識ファイル探索部と、通信接続された前記携帯情報端末から入力された音声情報、および、前記探索された音声認識ファイルに基づいて、前記機器本体を制御するための制御信号を生成する制御信号生成部とを備えていることを特徴とする。
【０００９】
本発明によれば、携帯情報端末の識別情報に基づいて音声認識ファイルが探索され、この音声認識ファイルを基に、当該携帯情報端末から入力する音声情報に応じた制御信号が生成される。すなわち、電子機器には、各携帯情報端末に応じた音声認識ファイルが設けられ、さらに、音声認識ファイルは、各々の携帯情報端末固有の音声情報および制御信号の組合せが記録されている。
これにより、電子機器を操作するユーザが、それぞれ携帯情報端末を所有しているとすると、この音声認識ファイルは、各ユーザに応じた音声情報および制御信号の組合せをカスタマイズしていることになる。従って、本発明の電子機器は、操作性を向上し、優れたユーザインターフェイスを提供することができる。
【００１０】
また、携帯情報端末に入力する音声情報に基づいて制御信号が生成されることから、例えば、ユーザの声を入力することよって電子機器を操作することができる。従って、ユーザに対して、複雑な操作ボタンを操作するよりも、簡単かつ理解しやすいユーザインターフェイスを提供することができる。
さらに、音声情報を入力する手段が携帯情報端末であることから、ユーザは、音声情報を入力する手段を比較的自由に持ち運ぶことができる。従って、電子機器は、比較的自由な位置から操作されることができる。
【００１１】
また、本発明の画像表示装置は、音声入力手段および通信手段を備えた携帯情報端末と通信接続される通信手段と、入力する画像情報に基づいて光学像を形成する画像表示手段と、前記通信手段および画像表示手段を含む機器本体を制御する制御手段とを備えた画像表示装置であって、前記制御手段は、通信接続された前記携帯情報端末の識別情報を取得する識別情報取得部と、前記取得された識別情報に基づいて、予め記録された音声認識ファイルを探索する音声認識ファイル探索部と、通信接続された前記携帯情報端末から入力された音声情報、および、前記探索された音声認識ファイルに基づいて、前記機器本体を制御するための制御信号を生成する制御信号生成部とを備えていることを特徴とする。
【００１２】
本発明の画像表示装置は、前述した本発明の電子機器と同様の効果を奏することができる。
さらに、近年、実用化されているテレビジョン受信機等の画像表示装置には、ネットワーク化や、ＣＰＵ（Central Processing Unit）等の制御回路が設けられたことにより、多様な機能が設けられている。しかし、本発明の画像表示装置によれば、多様な機能が設けられていても、操作性を向上し、優れたユーザインターフェイスを備えることができる。
【００１３】
本発明では、前記制御手段は、前記制御信号の選択、および、当該選択された制御信号に対応する音声情報の入力を促す音声設定画面を、前記画像表示手段に表示させる音声情報設定部と、前記音声設定画面で選択された制御信号、および、前記音声設定画面で入力された音声情報が、互いに関連付けて記録される音声認識ファイルを生成する音声認識ファイル生成部と、前記生成された音声認識ファイルを、前記識別情報取得部で取得された識別情報と関連づけて記憶する音声認識ファイル記憶部とを備え、前記音声認識ファイル探索部は、前記音声認識ファイル記憶部に記憶された音声認識ファイルを探索することが好ましい。
【００１４】
本発明によれば、画像表示手段に表示された音声設定画面において、ユーザにより選択・入力される制御信号および音声情報に基づいて、音声認識ファイルが作成される。すなわち、この制御信号および音声情報の組合せは、ユーザが自由に決定することができる。さらに、入力する音声情報も、ユーザが自由に作成することができる。
これにより、音声認識ファイルの作成においてユーザの自由度が大きく、音声認識ファイルは、ユーザの意図に沿ったカスタマイズを行うことができる。
従って、本発明の画像表示装置は、各ユーザに即したユーザインターフェイスを提供することができる。
【００１５】
本発明では、前記制御手段は、通信接続された前記携帯情報端末の識別情報に応じたパスワードの入力を促すパスワード入力画面を、前記画像表示手段に表示させるパスワード取得部と、入力されたパスワードと、予め前記携帯情報端末の識別情報に応じて登録されたパスワードとを対比するパスワード対比部と、対比の結果、前記入力されたパスワードが前記予め登録されたパスワードに合致しないと判定されると、前記音声認識ファイル生成部による前記音声認識ファイルの書換を規制するファイル書換規制部とを備えていることが好ましい。
【００１６】
本発明によれば、画像表示装置は、各携帯情報端末の識別情報に応じたパスワードを予め登録しており、識別情報取得部が識別情報を取得すると、この識別情報に応じて予め尊くされていたパスワードを呼出す。そして、パスワード入力画面において入力されたパスワードと、予め登録されていたパスワードとを対比させる。これにより、両パスワードが合致するか否かによって、パスワードを入力したユーザを識別することができる。すなわち、両パスワードが合致した場合、パスワードを入力したユーザは、音声認識ファイルを生成したユーザと同一人物と判断することができる。
一方、両パスワードが合致しない場合、ファイル書換規制部により音声認識ファイルの書換を規制することから、音声認識ファイルを生成したユーザとは別のユーザが、当該音声認識ファイルを書き換えることを禁止することができる。
従って、ユーザに応じてカスタマイズされた音声認識ファイルを保護することができる。
【００１７】
本発明では、前記画像表示装置は、光源と、当該光源から射出された光束を前記画像情報に応じて変調し光学像を形成する光変調装置と、当該光変調装置にて形成された光学像を拡大投射する投射光学装置とを備えたリアプロジェクタであることが好ましい。
リアプロジェクタは、光源や、光変調装置、投射光学装置など、他の多くの画像表示装置とは異なる特殊な装置を搭載している。このため、リアプロジェクタは、他の画像表示装置にはない機能や操作メニューを備えている。
しかし、本発明のリアプロジェクタによれば、多様な機能や操作メニューが設けられていても、操作性を向上し、優れたユーザインターフェイスを提供することができる
【００１８】
本発明の電子機器操作システムは、電子機器と、当該電子機器と通信接続された携帯情報端末とを備えた電子機器操作システムであって、前記携帯情報端末は、外部からの音声を入力する音声入力手段と、前記入力された音声が変換された音声情報、および、当該携帯情報端末の識別情報を、前記電子機器に送信する通信手段とを備え、前記電子機器は、前記携帯情報端末と通信接続される通信手段と、この通信手段を含む機器本体を制御する制御手段とを備え、当該制御手段は、通信接続された前記携帯情報端末の識別情報を取得する識別情報取得部と、前記取得された識別情報に基づいて、予め記録された音声認識ファイルを探索する音声認識ファイル探索部と、通信接続された前記携帯情報端末から入力された音声情報、および、前記探索された音声認識ファイルに基づいて、前記機器本体を制御するための制御信号を生成する制御信号生成部とを備えていることを特徴とする。
【００１９】
本発明によれば、電子機器操作システムは、前述した本発明の電子機器および画像表示装置と同様な効果を奏することができる。
また、携帯情報端末は音声入力手段を備え、この音声入力手段から取り込まれた音声が音声情報に変換されることから、ユーザの声を音声入力手段に入力するだけで、電子機器の操作するための音声情報を生成することができる。
【００２０】
本発明では、前記携帯情報端末は、携帯電話機であることが好ましい。
近年、携帯電話機は広く普及しており、家庭内においても、各人が専用の携帯電話機を所有していることも珍しくない。さらに、携帯電話機には、当該携帯電話機固有の番号である電話番号や製造番号が登録されている。
すなわち、本発明のように携帯情報端末として携帯電話機を採用すると、携帯電話機の電話番号や製造番号等を識別情報とすることで、その携帯電話機を所有しているユーザを識別することができる。従って、携帯情報端末や電子機器に、識別情報を設定するための作業を行う必要がない。
【００２１】
また、携帯電話機が、音声情報とともに識別情報を電子機器に送信することで、電子機器は、音声情報の取得と同時に、識別情報からユーザの識別を行うことができる。従って、電子機器の操作を速やかに行うことができる。
【発明を実施するための最良の形態】
【００２２】
以下、本発明の一実施形態を図面に基づいて説明する。
本実施形態では、電子機器および画像表示装置としてリアプロジェクタ１を採用する。本実施形態に係るリアプロジェクタ１および電子機器操作システム１０を、図１〜図１３に基づいて説明する。
〔１．電子機器操作システム１０の概略構成〕
図１は、本実施形態に係るリアプロジェクタ１および電子機器操作システム１０を示す模式斜視図である。
電子機器操作システム１０は、図１に示すように、リアプロジェクタ１と、携帯情報端末としての携帯電話機３とから構成されている。
このうち、リアプロジェクタ１には、リアプロジェクタ１の遠隔操作を行うリモートコントローラ２が設けられている。リアプロジェクタ１は、筐体形状を有し、この筐体外面には、スクリーン１１と、通信手段としての無線受信手段１２とを備えている。また、リアプロジェクタ１は、アンテナ１３（図２）を電気的に接続しており、アンテナ１３（図２）が受信したテレビジョン放送信号を入力している。
【００２３】
スクリーン１１は、前記筐体正面に露出して設けられており、後述する光学エンジン４から射出された光学像が拡大投射される。
無線受信手段１２は、リモートコントローラ２から送信された無線を受信し、デジタル形式の操作信号に変換して後述する制御基板５に出力する。
【００２４】
図２は、リアプロジェクタ１、リモートコントローラ２および携帯電話機３の内部構成を示すブロック図である。
リモートコントローラ２は、リアプロジェクタ１を遠隔操作するものであり、リアプロジェクタ１とは赤外線通信による無線通信を行う。リモートコントローラ２は、図２に示すように、操作パネル２１と、無線送信手段２２とを備えている。
操作パネル２１は、複数の操作ボタン２３を備えており、これら操作ボタン２３の操作に応じた種々の操作信号を無線送信手段２２に出力する。
無線送信手段２２は、操作パネル２１から出力された操作信号を無線に変換し、リアプロジェクタ１の無線受信手段１２に向けて送信する。
【００２５】
携帯電話機３は、一般的に普及している携帯電話機であり、通話機能の他に、赤外線による無線通信機能を備えている。携帯電話機３は、図１および図２に示すように、音声入力手段としてのマイク３１と、信号変換回路３２と、操作パネル３３と、記憶部３４と、通信手段としての無線送信手段３５と、これら各装置の制御を行う制御部３６等とを備えている。
マイク３１は、外部から入力する音声を取り込み、信号変換回路３２に出力する。
信号変換回路３２は、マイク３１から取り込んだ音声を、ＰＣＭ（Pulse Code Modulation）方式を用いてデジタル形式の音声情報に変換する。そして、信号変換回路３２は、生成した音声情報を無線送信手段３５に出力する。
操作パネル３３は、複数の操作キー３３１を備えており、これら操作キー３３１の操作に応じた種々の操作信号を無線送信手段３５に出力する。
【００２６】
記憶部３４には、携帯電話機３の固有の番号であり、本発明の識別情報に相当する携帯電話番号が記憶されている。なお、この識別情報は、携帯電話機３の製造番号であってもよい。
無線送信手段３５は、操作キー３３１の無線送信キー３３２（図１）が操作されると、信号変換回路３２から入力する音声情報を監視する。信号変換回路３２から音声情報が入力すると、無線送信手段３５は、入力した音声情報、および、記憶部３４に記憶された携帯電話番号を無線に変換し、リアプロジェクタ１の無線受信手段１２に向けて送信する。
なお、リモートコントローラ２および携帯電話機３が行う無線通信は、適切な周波数を有する電波を利用したものであってもよい。
【００２７】
〔２．リアプロジェクタ１の内部構成〕
リアプロジェクタ１は、図２に示すように、前記筐体内において、前述した無線受信手段１２と、画像表示手段としての光学エンジン４と、制御手段としての制御基板５とを備えている。
このうち、光学エンジン４は、光源としての光源ランプ４１と、制御基板５から入力する画像情報に応じて、光源ランプ４１から射出された光束を変調して光学像を形成する液晶パネル４２と、形成された光学像をスクリーン１１（図１）に拡大投射する投射レンズ４３とを備えている。
なお、液晶パネル４２は、本発明の光変調装置に相当し、投射レンズ４３は、投射光学装置に相当する。
【００２８】
〔2-1．制御基板５の構成〕
制御基板５は、回路基板として構成され、図２に示すように、ＣＰＵ（Central Processing Unit）５１と、音声認識ファイル記憶部としてのＦＲＯＭ（Flash Read Only Memory）５２と、ＲＡＭ（Random Access Memory）５３と、駆動制御手段としてのチューナ５４、画像処理回路５５、および、液晶パネル制御回路５６とを備えている。
【００２９】
このうち、ＦＲＯＭ５２は、ＣＰＵ５１によって処理されるプログラムや各種データが格納されている。具体的には、ＦＲＯＭ５２には、リアプロジェクタ制御プログラムや、電子機器操作プログラム、後述する固体識別ファイル６（図５）、音声認識ファイル７（図７）等が格納されている。なお、電子機器操作プログラムとは、電子機器操作システム１０によるリアプロジェクタ１の操作を実行するためのプログラムである。
ＲＡＭ５３は、ＣＰＵ５１の作業メモリとして利用され、各種データが一時的に記憶される。具体的には、携帯電話機３から送信された電話番号および音声情報が、一時的に記憶される。
【００３０】
チューナ５４は、アンテナ１３から入力する放送信号から、ユーザが選択したチャンネルに応じた周波数の放送信号を選択して受信し、一定周波数の信号に変換して出力する。
画像処理回路５５は、チューナ５４から入力する放送信号から画像情報と音声情報とを抽出し、分離する。さらに、画像処理回路５５は、抽出した画像情報を、光学エンジン４の液晶パネル４２の仕様に適応する画像情報に変換する。
具体的には、画像処理回路５５は、外部から入力するデジタル画像情報に対し、デコード処理、ガンマ補正処理、および、後述するＣＰＵ５１から出力される処理条件に従って、画像サイズの調整や表示画面形成等の描画処理を行う。その後、画像処理回路５５は、処理を施した画像情報を液晶パネル制御部５６に出力する。
【００３１】
なお、チューナ５４から入力する放送信号がアナログ形式であるとき、画像処理回路５５は、当該放送信号に対し、アナログ/デジタル変換処理や同期信号分離処理等を加えて行う。
一方、抽出された音声情報は、図示を省略するが、音声処理回路を介して、リアプロジェクタ１に設けられたスピーカより音声出力される。
【００３２】
液晶パネル制御回路５６は、画像処理回路５５より入力する画像情報に基づいて、光学エンジン４の液晶パネル４２を駆動する。
すると、光学エンジン４では、光源ランプ４１から出力された光束が、液晶パネル４２によって変調され、前記画像情報に応じた光学像が形成される。
【００３３】
〔2-2．ＣＰＵ５１の機能的構成〕
図３は、ＣＰＵ５１の機能的構成を示すブロック図である。
ＣＰＵ５１は、図３に示すように、パスワード設定部５１１と、音声認識ファイル設定部５１２と、固体識別処理部５１３と、音声操作処理部５１４とを備えている。
【００３４】
このうち、パスワード設定部５１１は、ユーザのユーザＩＤに対応するパスワードの設定登録を行う。
ユーザＩＤは、本発明の識別情報に相当し、本実施形態では電話番号が用いられている。電話番号とは、本発明の前述した携帯電話機３が記憶部３４に記憶している電話番号である。パスワードとは、詳しくは後述するが、ユーザによりユーザＩＤに対応して定められた文字列である。
パスワード設定部５１１は、画面形成部５１１１と、情報取得部５１１２と、固体識別ファイル生成部５１１３とを備えている。
【００３５】
画面形成部５１１１は、ＣＰＵ５１に入力するパスワード設定信号を検出すると、図４に示すパスワード登録画面８Ａをスクリーン１１上に表示するための描写処理を、画像処理回路５５に実行させる。
パスワード登録画面８Ａは、ユーザＩＤ、すなわち、携帯電話機３の電話番号Ｎに対応するパスワードＰの入力をユーザに促す。
情報取得部５１１２は、スクリーン１１上にパスワード登録画面８Ａが表示されている状態において、携帯電話機３から無線受信手段１２を介して入力する電話番号ＮをユーザＩＤとして、音声情報をパスワードＰとして取得する。なお、当該音声情報とは、前述したように、携帯電話機３のマイク３１を介して入力した音声が、信号変換回路３４により変換されたものである。
【００３６】
固体識別ファイル生成部５１１３は、情報取得部５１１２が取得した電話番号ＮおよびパスワードＰを、互いに対応する組合せとして、ＦＲＯＭ５２に格納された固体識別ファイル６に登録する。
図５は、固体識別ファイル６を説明するための模式図である。
図５に示すように、固体識別ファイル６には、固体識別ファイル生成部５１１３によって、ユーザＩＤ（電話番号Ｎ）およびパスワードＰの組合せが登録される。
【００３７】
音声認識ファイル設定部５１２は、リモートコントローラ２上の操作ボタン２３の種別に応じて、携帯電話機３のマイク３１から入力する音声情報を登録する。音声認識ファイル設定部５１２は、画面形成部５１２１と、識別情報取得部としての情報取得部５１２２と、音声認識ファイル生成部５１２３とを備えている。
【００３８】
画面形成部５１２１は、ＣＰＵ５１に入力する音声操作設定信号を検出すると、図６に示す音声操作設定画面８Ｂをスクリーン１１上に表示するための描写処理を、画像処理回路５５に実行させる。なお、ユーザＩＤとしての電話番号Ｎは、後述する情報取得部５１２２により既に取得されている。
音声操作設定画面８Ｂは、本発明の音声設定画面に相当し、リモートコントローラ２上の操作ボタン２３の選択入力と、当該選択入力された操作ボタン２３に対応する音声の入力をユーザに促す。
【００３９】
情報取得部５１２２は、スクリーン１１上に音声操作設定画面８Ｂが表示されている状態において、操作パネル２１から入力する操作信号が示す操作ボタンＢを取得する。操作ボタンＢは、前述したリモートコントローラ２に設けられた操作ボタン２３のいずれかに対応している。
さらに、情報取得部５１２２は、携帯電話機３のマイク３１から入力する音声情報を、前記操作ボタンＢに対応する指令音声情報Ｍとして取得する。指令音声情報Ｍとは、携帯電話機３のマイク３１から音声入力され、無線としてリアプロジェクタ１へ送信された音声情報である。
なお、画面形成部５１２１および情報取得部５１２２は、本発明の音声情報設定部に相当する。
【００４０】
音声認識ファイル生成部５１２３は、情報取得部５１２２が取得した操作ボタンＢおよび指令音声情報Ｍを、互いに対応する組合せとして、前記情報取得部５１３２に取得された電話番号Ｎの音声認識ファイル７に登録する。
図７は、音声認識ファイル７を説明するための模式図である。
音声認識ファイル７は、図７に示すように、識別情報としての電話番号Ｎ毎に作成され、音声認識ファイル生成部５１２３により、操作ボタンＢおよび指令音声情報Ｍの組合せが登録される。
【００４１】
例えば、情報取得部５１２２が、＋ボタンＢ１に応じた操作信号を取得し、さらに、＋ボタンＢ１に対応して『つぎ』という指令音声情報Ｍ１を取得した場合、音声認識ファイル生成部５１２３は、図７に示すように、＋ボタンＢ１および指令音声情報Ｍ１を互いに対応する組合せとして、音声認識ファイル７に登録する。
【００４２】
固体識別処理部５１３は、携帯電話機３から入力する電話番号Ｎおよびパスワードを基に、ユーザの識別を行う。固体識別処理部５１３は、画面形成部５１３１と、情報取得部５１３２と、パスワード判定部５１３３と、ファイル書換規制部５１３４とを備えている。
【００４３】
画面形成部５１３１は、ＣＰＵ５１に入力する音声操作変更信号を検出すると、図８に示すログイン画面８Ｃをスクリーン１１上に表示するための描写処理を、画像処理回路５５に実行させる。
ログイン画面８Ｃは、本発明のパスワード入力画面に相当し、図８に示すように、ユーザＩＤ（電話番号Ｎ）とパスワードＰ１の入力をユーザに促す。
情報取得部５１３２は、スクリーン１１上にログイン画面８Ｃが表示されている状態において、携帯電話機３から入力する電話番号ＮをユーザＩＤとして、音声情報をパスワードＰ１として取得する。
なお、画面形成部５１３１および情報取得部５１３２は、本発明のパスワード取得部に相当する。
【００４４】
パスワード判定部５１３３は、固体識別ファイル６（図５）を参照して、情報取得部５１３２が取得した電話番号Ｎと対応するパスワードＰを読み出す。そして、パスワード判定部５１３３は、情報取得部５１３２が取得したパスワードＰ１が、固体識別ファイル６から取得したパスワードＰと合致するか否かを判定する。なお、パスワード判定部５１３３は、本発明のパスワード対比部に相当する。
パスワード判定部５１３３により、パスワードＰ１がパスワードＰと合致すると判定されると、前述した音声認識ファイル設定部５１２が、音声認識ファイル７（図７）を書き換えるための書換処理を開始する。
ファイル書換規制部５１３４は、パスワード判定部５１３３により、パスワードＰ１がパスワードＰと合致しないと判定されると、ユーザの識別作業を終了する。すなわち、音声認識ファイル設定部５１２は、音声認識ファイル７の書換処理を行わない。
【００４５】
音声操作処理部５１４は、携帯電話機３のマイク３１から入力する指令音声情報に応じて、リアプロジェクタ１を駆動させる制御信号を生成する。音声操作処理部５１４は、識別情報判定部５１４１と、情報取得部５１４２と、音声認識ファイル探索部５１４３と、制御信号生成部５１４４とを備えている。
【００４６】
識別情報判定部５１４１は、携帯電話機３から入力する電話番号Ｎを取得すると、当該電話番号Ｎが、固体識別ファイル６（図５）にユーザＩＤとして登録されているか否かを判定する。
識別情報判定部５１４１により電話番号Ｎが探索されると、情報取得部５１４２は、携帯電話機３から電話番号Ｎとともに送信された音声情報を指令音声情報Ｍとして取得する。さらに、情報取得部５１４２は、図９に示すように、取得した指令音声情報Ｍをスクリーン１１のテレビジョン画面Ａの端に表示する。
なお、図９に示すテレビジョン画面Ａは、テレビジョン放送信号に基づく映像が表示されたものであり、指令音声情報Ｍとして『つぎ』という指令音声情報Ｍ１が入力された場合を示したものである。
【００４７】
音声認識ファイル探索部５１４３は、まず、情報取得部５１４２に取得された電話番号Ｎの音声認識ファイル７（図７）を、ＦＲＯＭ５２内から探索する。そして、音声認識ファイル探索部５１４３は、探索された音声認識ファイル７を参照して、情報取得部５１４２に取得された指令音声情報Ｍに対応する操作ボタンＢを取得する。
例えば、情報取得部５１４２に取得された指令音声情報Ｍが『つぎ』である場合、音声認識ファイル探索部５１４３は、図７に示す音声認識ファイル７を参照して、＋ボタンＢ１を取得する。
【００４８】
制御信号生成部５１４４は、音声認識ファイル探索部５１４３が取得した操作ボタンＢに応じた制御信号を生成して出力する。
例えば、スクリーン１１上にテレビジョン画面Ａ（図９）が表示されている際に、音声認識ファイル探索部５１４３が＋ボタンＢ１を取得した場合、制御信号生成部５１４４は、チャンネルアップ制御信号を生成して出力する。
【００４９】
〔３．制御基板５の作用〕
図４〜図１３を用いて、制御基板５の作用を説明する。
制御基板５は、まず、パスワード設定処理、次に、音声操作設定処理を行い、電子機器操作システムを構築した後、入力する操作信号に応じて音声操作処理や固体識別処理を行う。この制御基板５が実行する前記各処理は、ＦＲＯＭ５２に格納された電子機器操作プログラムに従って実行される。
【００５０】
〔3-1．パスワード設定処理〕
まず、パスワード設定処理について説明する。これは、本発明の電子機器操作システムにおいて、リアプロジェクタ１が、ユーザを識別できるようにするための設定手続である。
図１０は、制御基板５が実行するパスワード設定処理を説明するための図である。
制御基板５のＣＰＵ５１を構成するパスワード設定部５１１において、画面形成部５１１１は、リモートコントローラ２から入力する操作信号であるパスワード設定信号を監視している（Ｓ１）。そして、画面形成部５１１１は、パスワード設定信号を検出したか否かを判定している（Ｓ２）。
【００５１】
パスワード設定信号を検出しない場合、画面形成部５１１１は、処理Ｓ１に戻り、パスワード設定信号の監視を続行する。
一方、パスワード設定信号を検出した場合、画面形成部５１１１は、パスワード登録画面８Ａ（図４）をスクリーン１１上に表示するための描写処理を、画像処理回路５５に実行させる（Ｓ３）。
次に、情報取得部５１１２は、ユーザの携帯電話機３からリアプロジェクタ１に送信される電話番号Ｎおよび音声情報を監視し、電話番号Ｎおよび音声情報を検出したか否かを判定する（Ｓ４）。
【００５２】
電話番号Ｎおよび音声情報を検出しない場合、情報取得部５１１２は、電話番号Ｎおよび音声情報の入力の監視を続行する。
一方、電話番号Ｎおよび音声情報を検出した場合、情報取得部５１１２は、当該電話番号ＮをユーザのユーザＩＤとして、当該音声情報をパスワードＰとして取得する（Ｓ５）。また、図４に示すように、画面形成部５１１１は、パスワード登録画面８Ａに、情報取得部５１１２が取得したユーザＩＤ、および、※印で表したパスワードＰを表示する。
なお、処理Ｓ５におけるパスワードＰの入力および取得は、パスワードＰの入力間違いを防ぐため、２回繰り返して行われる。
【００５３】
固体識別ファイル生成部５１１３は、情報取得部５１１２が取得したユーザＩＤおよびパスワードＰを、互いに対応する組合せとして、ＦＲＯＭ５２の固体識別ファイル６（図５）に記録する（Ｓ６）。
以上のようなパスワード登録処理によって、リアプロジェクタ１は、新たなユーザを登録し、このユーザを識別することができるようになる。
【００５４】
〔3-2．音声操作設定処理〕
次に、音声操作設定処理について説明する。図１１は、制御基板５が実行する音声操作設定処理を説明するための図である。
動作中のプロジェクタ１では、既に、固体識別処理部５１３により、現在操作中のユーザのユーザＩＤが取得されており、すなわち、ユーザの識別が完了している。この状態を、ログイン状態とする。また、この固体識別処理部５１３が行う固体識別処理は、後に説明する。
【００５５】
制御基板５のＣＰＵ５１を構成する音声認識ファイル設定部５１２において、画面形成部５１２１は、リモートコントローラ２から入力する操作信号である音声操作設定信号を監視している（ＳＡ１）。そして、画面形成部５１２１は、音声操作設定信号を検出したか否かを判定している（ＳＡ２）。
音声操作設定信号を検出しない場合、画面形成部５１２１は、処理ＳＡ１に戻り、音声操作設定信号の監視を続行する。
一方、音声操作設定信号を検出した場合、画面形成部５１２１は、音声操作設定画面８Ｂ（図６）を、スクリーン１１上に表示するための描写処理を、画像処理回路５５に実行させる（ＳＡ３）。また、画面形成部５１２１は、固体識別処理部５１３により取得されていたユーザＩＤ（電話番号Ｎ）を、音声操作設定画面８Ｂ（図６）に表示する。
次に、情報取得部５１２２は、リモートコントローラ２の操作パネル２１からリアプロジェクタ１に送信される操作信号を監視し、この操作信号を検出したか否かを判定する（ＳＡ４）。
【００５６】
操作信号を検出しない場合、情報取得部５１２２は、操作信号の入力の監視を続行する。
一方、操作信号を検出した場合、情報取得部５１２２は、操作パネル２１において当該操作信号が示す操作ボタンＢを判別し、この操作ボタンＢをＲＡＭ５３に一時記憶する（ＳＡ５）。また、図６に示すように、画面形成部５１２１は、情報取得部５１２２が取得した当該操作ボタンＢを、音声操作設定画面８Ｂに表示する。
【００５７】
続いて、情報取得部５１２２は、ユーザの携帯電話機３からリアプロジェクタ１に送信される音声情報を監視し、音声情報を検出したか否かを判定する（ＳＡ６）。
音声情報を検出しない場合、情報取得部５１２２は、音声情報の入力の監視を続行する。
一方、音声情報を取得した場合、情報取得部５１２２は、当該音声情報を、ＲＡＭ５３に記憶させている操作ボタンＢに対応する指令音声情報Ｍとして取得し、ＲＡＭ５３に一時記憶させる（ＳＡ７）。また、図６に示すように、画面形成部５１２１は、情報取得部５１２２が取得した当該指令音声情報Ｍを、音声操作設定画面８Ｂ内の操作ボタンＢの隣に表示する。
【００５８】
処理ＳＡ４〜処理ＳＡ７における操作ボタンＢおよび指令音声情報Ｍの取得は、ユーザの意図に応じて繰り返し行われ、その都度、操作ボタンＢおよび指令音声情報Ｍの新たな組合せが、ＲＡＭ５３に一時記憶される。
【００５９】
そして、音声認識ファイル生成部５１２３は、ＲＡＭ５３に一時記憶した操作ボタンＢおよび指令音声情報Ｍの組合せを、ＦＲＯＭ５２の音声認識ファイル７（図７）に登録する（ＳＡ８）。なお、この音声認識ファイル７は、予め固体識別処理部５１３が取得していたユーザＩＤと対応するものである。
以上のような音声操作設定処理によって、音声認識ファイル７が生成される。生成した音声認識ファイル７を変更するための音声操作変更処理は、後に説明する。
【００６０】
このような音声操作設定処理によれば、スクリーン１１上に表示された音声操作設定画面８Ｂにおいて、ユーザにより選択・入力される操作ボタンＢおよび指令音声情報Ｍに基づいて、音声認識ファイル７を作成する。すなわち、この操作ボタンＢおよび指令音声情報Ｍの組合せは、ユーザが自由に決定することができる。さらに、指令音声情報Ｍとして取得される音声情報も、ユーザが自由に作成することができる。
これにより、音声認識ファイル７の作成においてユーザの自由度が大きく、音声認識ファイル７は、ユーザの意図に沿ったカスタマイズを行うことができる。
従って、本実施形態のリアプロジェクタ１は、各ユーザに即したユーザインターフェイスを提供することができる。
【００６１】
〔3-3．音声操作処理〕
次に、音声操作処理について説明する。図１２は、制御基板５が実行する音声操作処理を説明するための図である。
動作中のリアプロジェクタ１は、アンテナ１３を介してテレビジョン放送信号を受信し、スクリーン１１に、図９に示すようなテレビジョン画面Ａを表示している。
制御基板５のＣＰＵ５１を構成する音声操作処理部５１４において、識別情報判定部５１４１は、携帯電話機３からリアプロジェクタ１に送信される電話番号Ｎおよび音声情報の入力を監視している（ＳＢ１）。そして、識別情報判定部５１４１は、電話番号Ｎおよび音声情報を検出したか否かを判定している（ＳＢ２）。
【００６２】
電話番号Ｎおよび音声情報を検出しない場合、識別情報判定部５１４１は、処理ＳＢ１に戻り、電話番号Ｎおよび音声情報の入力の監視を続行する。
一方、電話番号Ｎおよび音声情報を検出した場合、識別情報判定部５１４１は、当該電話番号Ｎおよび音声情報をＲＡＭ５３に一時記憶させる（ＳＢ３）。次に、固体識別ファイル６（図５）を探索し、検出した電話番号Ｎが固体識別ファイル６に登録されているか否かを判定する（ＳＢ４）。
【００６３】
検出した電話番号Ｎが固体識別ファイル６に登録されていない場合、識別情報判定部５１４１は、テレビジョン画面（図９）上に、メッセージ『ユーザ未登録です』を表示する（ＳＢ５）。そして、識別情報判定部５１４１は、処理ＳＢ３で取得した電話番号Ｎおよび音声情報を削除し、音声操作処理を終了する。
一方、検出した電話番号Ｎが固体識別ファイル６に登録されていた場合、情報取得部５１４２は、処理ＳＢ３にてＲＡＭ５３に一時記憶されていた音声情報を、指令音声情報Ｍとして取得する（ＳＢ６）。さらに、情報取得部５１４２は、図９に示すように、取得した指令音声情報Ｍをスクリーン１１のテレビジョン画面Ａの上部に表示する。
【００６４】
次に、音声認識ファイル探索部５１４３は、前記検出された電話番号Ｎに対応する音声認識ファイル７（図７）を探索する（ＳＢ７）。そして、音声認識ファイル探索部５１４３は、前記取得した指令音声情報Ｍが、探索した音声認識ファイル７に登録されているか否かを判定する（ＳＢ８）。
指令音声情報Ｍが、音声認識ファイル７に登録されていない場合、音声認識ファイル探索部５１４３は、テレビジョン画面Ａ（図９）上に、メッセージ『指令音声を判断できません』を表示する（ＳＢ９）。
一方、指令音声情報Ｍが、音声認識ファイル７に登録されていた場合、音声認識ファイル探索部５１４３は、音声認識ファイル７を参照して、当該指令音声情報Ｍと対応する操作ボタンＢを取得する（ＳＢ１０）。
【００６５】
その後、制御信号生成部５１４４は、音声認識ファイル探索部５１４３により取得された操作ボタンＢに基づく制御信号を生成し（ＳＢ１１）、チューナ５４や液晶パネル制御回路５６等に出力する（ＳＢ１２）。
制御信号生成部から出力された制御信号に従って、チューナ５４や液晶パネル制御回路５６等が駆動すると（ＳＢ１３）、リアプロジェクタ１が、携帯電話機３のマイク３１を介して入力した指令音声に基づいて駆動することになる。
【００６６】
このような音声操作処理によれば、携帯電話機３の電話番号Ｎに基づいて音声認識ファイル７が探索され、この音声認識ファイル７を基に、当該携帯電話機３から入力する指令音声情報Ｍに応じた操作ボタンＢが生成される。
すなわち、リアプロジェクタ１には、各携帯電話機に応じた音声認識ファイル７が設けられ、さらに、音声認識ファイル７は、各々の携帯電話機固有の指令音声情報Ｍおよび操作ボタンＢの組合せを記録している。
これにより、リアプロジェクタ１を操作するユーザが、各々の携帯電話機を所有しているとすると、この音声認識ファイル７は、各ユーザに応じた指令音声情報Ｍおよび操作ボタンＢの組合せをカスタマイズしている。従って、本発明のリアプロジェクタ１は、操作性を向上し、優れたユーザインターフェイスを提供することができる。
【００６７】
〔3-4．固体識別処理〕
最後に、音声認識ファイル７（図７）を変更する際の制御基板５の作用について説明する。
音声認識ファイル７を変更する場合、制御基板５は、まず始めに、変更しようとするユーザが、当該音声認識ファイル７を生成したユーザであるか判別するための固体識別処理を行う。
図１３は、制御基板５が実行する固体識別処理を説明するための図である。
【００６８】
制御基板５のＣＰＵ５１を構成する固体識別処理部５１３において、画面形成部５１３１は、操作パネル２１、または、ユーザの携帯電話機３から送信される音声操作変更信号を監視している（ＳＣ１）。そして、画面形成部５１３１は、音声操作変更信号を検出したか否かを判定している（ＳＣ２）。
音声操作変更信号を検出しない場合、画面形成部５１３１は、処理ＳＣ１に戻り、音声操作変更信号の入力の監視を続行する。
一方、音声操作変更信号を検出した場合、画面形成部５１３１は、ログイン画面８Ｃ（図８）をスクリーン１１上に表示するための描写処理を、画像処理回路５５に実行させる（ＳＣ３）。
【００６９】
次に、情報取得部５１３２は、携帯電話機３からリアプロジェクタ１に送信される電話番号Ｎおよび音声情報を監視し、電話番号Ｎおよび音声情報を検出したか否かを判定する（ＳＣ４）。
電話番号Ｎおよび音声情報を検出しない場合、情報取得部５１３２は、電話番号Ｎおよび音声情報の入力の監視を続行する。
一方、電話番号Ｎおよび音声情報を検出した場合、情報取得部５１３２は、これら電話番号Ｎおよび音声情報を、それぞれユーザＩＤおよびパスワードとして取得する（ＳＣ５）。また、画面形成部５１３１は、情報取得部５１３２が取得したユーザＩＤ（電話番号Ｎ）およびパスワードを、ログイン画面８Ｃ（図９）に表示する。
【００７０】
パスワード判定部５１３３は、固体識別ファイル６（図５）を呼出し、情報取得部５１３２が取得したユーザＩＤ（電話番号Ｎ）に対応するパスワードＰを読取る（ＳＣ６）。そして、パスワード判定部５１３３は、情報取得部５１３２が取得したパスワードと、固体識別ファイル６から読取ったパスワードＰとが合致するか否かを判定する（ＳＣ７）。
入力されたパスワードが前記パスワードＰに合致しないと判定されると、ファイル書換規制部５１３４は、ログイン画面８Ｃ上に、メッセージ『異なったパスワードが入力されました』を表示する（ＳＣ８）。そして、ファイル書換規制部５１３４は、固体識別処理を終了させる。
【００７１】
一方、入力されたパスワードが前記パスワードＰに合致すると判定されると、パスワード判定部５１３３は、携帯電話機３のユーザが識別されたと判断する。その後、制御基板５が行う処理は、前述した音声操作設定処理（図１１）の処理ＳＡ３に移行し、音声操作設定部５１２は、音声設定ファイル７（図７）を書き換えるための変更処理を行う。
【００７２】
このような固体識別処理によれば、情報取得部５１３２が取得したパスワードと、予め固体識別ファイル６に登録されたパスワードＰとが合致するか否かによって、パスワードを入力したユーザを識別することができる。すなわち、両パスワードが合致した場合、パスワードを入力したユーザは、音声認識ファイル７を生成したユーザと同一人物と判断することができる。
一方、両パスワードが合致しない場合、ファイル書換規制部５１３４により音声認識ファイルの書換を規制することから、音声認識ファイル７を生成したユーザとは別のユーザが、当該音声認識ファイル７を書き換えることを禁止することができる。
従って、ユーザに応じてカスタマイズされた音声認識ファイル７を保護することができる。
【００７３】
本実施形態によれば、リアプロジェクタ１、および、電子機器操作システム１０は、リアプロジェクタ１０の操作性を向上し、ユーザに対し、優れたユーザインターフェイスを提供することができる。
また、携帯電話機３に入力する音声情報に基づいて操作ボタンＢが取得され、この操作ボタンＢに応じた制御信号が生成されることから、例えば、携帯電話機３のマイク３１から入力するユーザの声で、リアプロジェクタ１を駆動させることができる。従って、ユーザに対して、複雑な操作ボタン２１を操作するよりも、簡単かつ理解しやすいユーザインターフェイスを提供することができる。
さらに、音声情報を入力する手段が携帯電話機３であることから、ユーザは、携帯電話機３を、無線通信可能範囲内であれば、自由に持ち運ぶことができる。従って、リアプロジェクタ１は、比較的自由な位置から操作されることができる。
【００７４】
そして、近年、普及しつつあるリアプロジェクタ１など画像表示装置には、ネットワーク化や、ＣＰＵ等の制御回路が設けられたことによって、多様な機能が設けられている。さらに、リアプロジェクタ１は、光源ランプ４１や、液晶パネル４２、投射レンズ４３など、他の多くの電子機器とは異なる特殊な装置を搭載している。このため、リアプロジェクタ１は、他の画像表示装置にはない機能や操作メニューを備えている。
しかし、本実施形態のリアプロジェクタによれば、多様な機能や操作メニューが設けられていても、操作性を向上し、優れたユーザインターフェイスを提供することができる。
【００７５】
また、近年、携帯電話機３は広く普及しており、家庭内においても、各人が専用の携帯電話機３を所有していることも珍しくない。さらに、携帯電話機３には、当該携帯電話機固有の番号である電話番号Ｎや製造番号が登録されている。
すなわち、本実施形態のように携帯情報端末として携帯電話機３を採用すると、携帯電話機３の電話番号Ｎを識別情報とすることで、その携帯電話機３を所有しているユーザを識別することができる。従って、携帯電話機３やリアプロジェクタ１に、識別情報を設定するための作業を行う必要がない。
さらに、携帯電話機３が、音声情報とともに電話番号Ｎをリアプロジェクタ１に送信することで、リアプロジェクタ１は、指令音声情報Ｍの取得と同時に、電話番号Ｎからユーザの識別を行うことができる。従って、リアプロジェクタ１の操作を速やかに行うことができる。
【００７６】
〔４．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
前記実施形態では、電子機器としてリアプロジェクタを用いたが、本発明では、これに限らず、液晶テレビ、プロジェクタ、プリンタ、および、ＤＶＤ（Digital Versatile Disc）プレイヤ等の電子機器を採用してもよい。
【産業上の利用可能性】
【００７７】
本発明は、電子機器、画像表示装置、および、電子機器操作システムに利用することができる。
【図面の簡単な説明】
【００７８】
【図１】本発明の一実施形態に係る電子機器操作システムを示す概略斜視図。
【図２】前記実施形態に係る各機器の内部構成を示すブロック図。
【図３】前記実施形態に係るＣＰＵの機能的構成を示すブロック図。
【図４】前記実施形態に係るリアプロジェクタに表示されたパスワード登録画面を示す概略図。
【図５】前記実施形態に係る固体識別ファイルを説明するための模式図。
【図６】前記実施形態に係るリアプロジェクタに表示された音声操作設定画面を示す概略図。
【図７】前記実施形態に係る音声認識設定ファイルを説明するための模式図。
【図８】前記実施形態に係るリアプロジェクタに表示されたログイン画面を示す概略図。
【図９】前記実施形態に係るリアプロジェクタに表示されたテレビジョン画面を示す概略図。
【図１０】前記実施形態に係る制御基板が実行するパスワード登録処理を説明するためのフロー図。
【図１１】前記実施形態に係る制御基板が実行する音声操作設定処理を説明するためのフロー図。
【図１２】前記実施形態に係る制御基板が実行する音声操作処理を説明するためのフロー図。
【図１３】前記実施形態に係る制御基板が実行する固体識別処理を説明するためのフロー図。
【符号の説明】
【００７９】
１…リアプロジェクタ（電子機器、画像表示装置）、３…携帯電話機（携帯情報端末）、４…光学エンジン（画像表示手段）、１２…無線受信手段（通信手段）、３１…マイク（音声入力手段）、３５…無線送信手段（情報送信手段）、４１…光源ランプ（光源）、４２…液晶パネル（光変調装置）、４３…投射レンズ（投射光学装置）、５…制御基板（制御手段）、５１２１…画面形成部（音声情報設定部）、５１２２…情報取得部（識別情報取得部）、５１２３…音声認識ファイル生成部、５１３１…画面形成部、５１３２…情報取得部（パスワード取得部）、５１３３…パスワード判定部（パスワード対比部）、５１３４…ファイル書換規制部、５１４２…情報取得部、５１４３…音声認識ファイル探索部、５１４４…制御信号生成部、７…音声認識ファイル、１０…電子機器操作システム、Ｎ…電話番号、Ｍ，Ｍ１…指令音声情報、Ｐ，Ｐ１…パスワード
【図１】
2006330090.tif 000003
【図２】
2006330090.tif 000004
【図３】
2006330090.tif 000005
【図４】
2006330090.tif 000006
【図５】
2006330090.tif 000007
【図６】
2006330090.tif 000008
【図７】
2006330090.tif 000009
【図８】
2006330090.tif 000010
【図９】
2006330090.tif 000011
【図１０】
2006330090.tif 000012
【図１１】
2006330090.tif 000013
【図１２】
2006330090.tif 000014
【図１３】
2006330090.tif 000015